(57)【要約】【課題】アナログ放送とデジタル放送のチャンネル検索時間が長くなる。【解決手段】アナログ放送とデジタル放送がサイマルで放送されている環境化において、アナログ放送とデジタル放送のチャンネルをそれぞれ検索するチャンネル検索手段があり、アナログ放送のチャンネル検索で検索されたチャンネル情報を元に受信地域Ａを決定する受信地域決定手段があり、デジタル放送チャンネル検索手段は、上記受信地域決定手段で決定された受信地域Ａで放送されているデジタル放送チャンネルのみをチャンネル検索する。【選択図】図１
2006197166.tif 000002
【特許請求の範囲】
【請求項１】
アナログ放送とデジタル放送がサイマルで放送されている環境下において、アナログ放送とデジタル放送のチャンネルをそれぞれ検索するチャンネル検索手段があり、アナログ放送のチャンネル検索で検索されたチャンネル情報を元に受信地域Ａを決定する受信地域決定手段があり、
デジタル放送チャンネル検索手段は、上記受信地域決定手段で決定された受信地域Ａで放送されているデジタル放送チャンネルのみをチャンネル検索することを特徴とする受信装置。
【請求項２】
アナログ放送とデジタル放送がサイマルで放送されている環境下において、アナログ放送とデジタル放送のチャンネルをそれぞれ検索するチャンネル検索手段があり、アナログ放送のチャンネル検索で検索されたチャンネル情報を元に受信地域候補Ａを決定する受信地域決定手段があり、
デジタル放送チャンネル検索手段は、上記受信地域決定手段で決定された受信地域候補Ａとその周辺地域で放送されているデジタル放送チャンネルのみをチャンネル検索することを特徴とする受信装置。
【請求項３】
アナログ放送とデジタル放送がサイマルで放送されている環境下において、アナログ放送とデジタル放送のチャンネルをそれぞれ検索するチャンネル検索手段があり、アナログ放送のチャンネル検索で検索されたチャンネル情報を元に複数の受信地域候補Ａ１〜Ａｎを決定する受信地域決定手段があり、
デジタル放送チャンネル検索手段は、上記受信地域決定手段で決定された受信地域Ａ１〜Ａｎで放送されているデジタル放送チャンネルのみをチャンネル検索することを特徴とする受信装置。
【請求項４】
アナログ放送とデジタル放送がサイマルで放送されている環境化において、アナログ放送とデジタル放送のチャンネルをそれぞれ検索するチャンネル検索手段があり、アナログ放送のチャンネル検索で検索されたチャンネル情報を元に複数の受信地域候補Ａ１〜Ａｎを決定する受信地域決定手段があり、
デジタル放送チャンネル検索手段は、上記受信地域決定手段で決定された受信地域Ａ１〜Ａｎとその周辺地域で放送されているデジタル放送チャンネルのみをチャンネル検索することを特徴とする受信装置。
【発明の詳細な説明】
【技術分野】
【０００１】
本発明は、デジタル放送受信機に関するものである。
【背景技術】
【０００２】
地上放送はＡＭ変調したアナログ放送とＯＦＤＭ（直交周波数多重）変調または８ＶＳＢ（残留側波帯）変調したデジタル放送をサイマルで放送しており、地上放送の各チャンネルがアナログ放送かデジタル放送かをチャンネル検索時に判別する必要がある。
【０００３】
判別方法としては、受信装置にＡＭ復調器とＯＦＤＭ復調器または８ＶＳＢ変調器を搭載し、チャンネル検索時にＡＭ復調器を通して復調できた場合にはアナログ放送と判別し、ＯＦＤＭ復調器または８ＶＳＢ変調を通して復調できた場合にはデジタル放送と判別する方法がある。
【０００４】
従来のチャンネル検索では、２つのチューナでアナログ放送とデジタル放送を同時に検索して、チャンネル検索時間を短くしたり（例えば特許文献１〜３を参照）、チャンネル選局時間の短い、アナログ放送のチャンネル検索を先に行い、次にアナログ放送として検索されたチャンネル以外についてデジタル放送のチャンネル検索を行なうことでデジタル放送のチャンネル検索数を減らし、もってチャンネル検索時間を短くしている（例えば、特許文献４を参照）。
【特許文献１】特開平１１−１９５６０２号公報
【特許文献２】特開２０００−３６６５１０号公報
【特許文献３】特開２００１−１５８０６８号公報
【特許文献４】特開２００１−２５４３０９号公報
【発明の開示】
【発明が解決しようとする課題】
【０００５】
地上放送チャンネルが６２チャンネルであることを元に発明が解決しようとする課題について説明する。
【０００６】
例えば、特許文献１〜３のようなアナログ放送、デジタル放送のチャンネル検索方法では、アナログ放送、デジタル放送すべてのチャンネルを検索する必要がある。
【０００７】
チャンネルあたりのアナログ放送検索時間を０．５秒、チャンネルあたりのデジタル放送検索時間を１秒とすると、６２チャンネルのアナログ放送のチャンネル検索時間は３１秒、デジタル放送のチャンネル検索時間は６２秒で、２つのチューナを用いてアナログ放送チャンネル検索とデジタル放送チャンネル検索をパラレルに行なった場合にかかる選局時間は６２秒になる。
【０００８】
一方、例えば、特許文献４のようにアナログ放送チャンネル検索を行なった後に、アナログ放送チャンネル検索で検索された以外のチャンネルをデジタル放送チャンネル検索した場合、アナログ放送が８チャンネル、デジタル放送が８チャンネル放送されている地域では、デジタル放送チャンネル検索のチャンネル検索数は６２−８＝５４チャンネルとなる。そのためアナログ放送とデジタル放送のチャンネル検索時間は０．５×６２＋１×５４＝８５秒になる。
【０００９】
このように、どちらの方法でもチャンネル検索時間が長くなる課題があった。
【課題を解決するための手段】
【００１０】
（１）第１の発明
第１の発明に係わる受信装置は、アナログ放送とデジタル放送がサイマルで放送されている環境下において、アナログ放送とデジタル放送のチャンネルをそれぞれ検索するチャンネル検索手段があり、アナログ放送のチャンネル検索で検索されたチャンネル情報を元に受信地域Ａを決定する受信地域決定手段があり、デジタル放送チャンネル検索手段は、上記受信地域決定手段で決定された受信地域Ａで放送されているデジタル放送チャンネルのみをチャンネル検索することを特徴としている。
【００１１】
これにより、アナログ放送とデジタル放送のチャンネル検索時間を少なくすることが可能となる。
【００１２】
（２）第２の発明
第２の発明に係わる受信装置は、アナログ放送とデジタル放送がサイマルで放送されている環境下において、アナログ放送とデジタル放送のチャンネルをそれぞれ検索するチャンネル検索手段があり、アナログ放送のチャンネル検索で検索されたチャンネル情報を元に受信地域候補Ａを決定する受信地域決定手段があり、デジタル放送チャンネル検索手段は、上記受信地域決定手段で決定された受信地域候補Ａとその周辺地域で放送されているデジタル放送チャンネルのみをチャンネル検索することを特徴としている。
【００１３】
これにより、アナログ放送とデジタル放送のチャンネル検索時間を少なくすることが可能となる。
【００１４】
（３）第３の発明
第３の発明に係わる受信装置は、アナログ放送とデジタル放送がサイマルで放送されている環境下において、アナログ放送とデジタル放送のチャンネルをそれぞれ検索するチャンネル検索手段があり、アナログ放送のチャンネル検索で検索されたチャンネル情報を元に複数の受信地域候補Ａ１〜Ａｎを決定する受信地域決定手段があり、デジタル放送チャンネル検索手段は、上記受信地域決定手段で決定された受信地域候補Ａ１〜Ａｎで放送されているデジタル放送チャンネルのみをチャンネル検索することを特徴としている。
【００１５】
これにより、アナログ放送とデジタル放送のチャンネル検索時間を少なくすることが可能となる。
（４）第４の発明
第４の発明に係わる受信装置は、アナログ放送とデジタル放送がサイマルで放送されている環境下において、アナログ放送とデジタル放送のチャンネルをそれぞれ検索するチャンネル検索手段があり、アナログ放送のチャンネル検索で検索されたチャンネル情報を元に複数の受信地域候補Ａ１〜Ａｎを決定する受信地域決定手段があり、デジタル放送チャンネル検索手段は、上記受信地域決定手段で決定された受信地域候補Ａ１〜Ａｎとその周辺地域で放送されているデジタル放送チャンネルのみをチャンネル検索することを特徴としている。
【００１６】
これにより、アナログ放送とデジタル放送のチャンネル検索時間を少なくすることが可能となる。
【発明の効果】
【００１７】
アナログ放送チャンネル検索結果をもとに受信地域を決定し、決定した受信地域またはその周辺の地域で放送されているデジタル放送チャンネルのみをチャンネル検索するため、デジタル放送チャンネル検索時間を短縮でき、アナログ放送とデジタル放送のチャンネル検索時間を少なくすることが可能となる。
【発明を実施するための最良の形態】
【００１８】
（実施の形態１）
図１に本発明の実施の形態１の受信装置の構成図を示す。
【００１９】
２はチューナ、３はアナログ放送波を復調するＡＭ復調器、４はデジタル放送波を復調するＯＦＤＭ復調器、５はアナログ放送チャンネル検索器、６はデジタル放送チャンネル検索器、７は受信地域判別器である。
【００２０】
本発明の受信装置の動作を図２と図３を用いて説明する。
【００２１】
図２はチャンネル検索を示したフローチャートであり、図３は各地域のチャンネル表である。
【００２２】
ステップＳ１でアナログ放送のチャンネル検索を開始する。ステップＳ３でチャンネル１を選局するため、アナログ放送チャンネル検索器５はチューナ２の局部発振周波数を制御する。
【００２３】
チューナ２から出力される中間周波信号をステップＳ４でＡＭ復調できた場合には、ステップＳ５でチャンネル１をアナログ放送チャンネルとして登録し、ステップＳ６、Ｓ７を通過して、チャンネル２においてステップＳ３、Ｓ４、Ｓ６で上記の動作を行なう。
【００２４】
ステップＳ４でＡＭ復調できなかった場合には、フローＳ６、Ｓ７を通過して、チャンネル２においてフローＳ３、Ｓ４、Ｓ６で上記の動作を行なう。
【００２５】
これをチャンネル３からチャンネル６２で繰り返し行ない、アナログ放送チャンネル検索を終了する。
【００２６】
次にステップＳ８、Ｓ９〜Ｓ１６では、フローＳ１〜Ｓ７において検索されたアナログ放送チャンネルと図３に示すあらかじめ登録された各地域のアナログ放送チャンネルを比較し、一致したチャンネル番号が最も多い地区を現在受信している地域として登録し、デジタル放送のチャンネル検索を開始する。
【００２７】
ステップＳ８で受信地域がＡと判別された場合は、ステップＳ１１でまずチャンネル１３を選局するため、デジタル放送チャンネル検索器６はチューナ２の局部発振周波数を制御する。
【００２８】
チューナ２から出力される中間周波信号をステップＳ１２でＯＦＤＭ復調できた場合には、ステップＳ１３でチャンネル１３をデジタル放送チャンネルとして登録し、ステップＳ１４、Ｓ１５を通過して、チャンネル１４においてステップＳ１１、Ｓ１２、Ｓ１３で上記の動作を行なう。
【００２９】
これをチャンネル１５、１６、１７、１８、２４、２６で繰り返し行い、デジタル放送チャンネル検索を終了する。
【００３０】
例えば、アナログ放送チャンネル検索で検索されたチャンネルが２、４、６、８、１０、１２、１９、３４、３６であれば、受信地域をＡ〜Ｈの中で一致するチャンネル番号が最も多い受信地域はＡと判別され、デジタル放送チャンネル検索では受信地域Ａで放送されているチャンネル１３、１４、１５、１６、１７、１８、２４、２６のみをチャンネル検索し、ＯＦＤＭ復調できたチャンネルをデジタル放送チャンネルとして登録する。
【００３１】
これにより従来の方法でアナログ放送とデジタル放送のチャンネル検索を行なった場合、チャンネルあたりのアナログ放送検索時間を０．５秒、チャンネルあたりのデジタル放送検索時間を１秒とすると、２つのチューナを用いてアナログ放送チャンネル検索とデジタル放送チャンネル検索をパラレルに行なった場合にかかるチャンネル検索時間は６２秒であるが、本発明の受信装置では、アナログ放送のチャンネル検索時間は３１秒、デジタル放送のチャンネル選局時間が８秒で、チャンネル検索時間は３１＋８＝３９秒となり、チャンネル検索時間を短縮することが可能となる。
【００３２】
また実施の形態１ではアナログ放送のチャンネル検索にＡＭ復調器３、デジタル放送のチャンネル検索にＯＦＤＭ復調器を使用しているが、ＡＭ復調器の代わりにＮＴＳＣの同期が取れたかどうかの判別を行なうＮＴＳＣ同期検出器を用いても良く、ＯＦＤＭ復調器の代わりに、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）の同期が取れたかどうかの判別を行なうＴＭＣＣ同期検出器を用いても良い。
【００３３】
また実施の形態１ではデジタル放送波が８ＶＳＢ変調されている場合には、ＯＦＤＭ変調器の代わりに８ＶＳＢ変調器を用いても良い。
【００３４】
（実施の形態２）
本発明の実施の形態２の受信装置の構成は図１と同じであり、受信地域判別器７の動作が異なるだけである。
【００３５】
本発明の受信装置の動作を図３と図４を用いて説明する。
【００３６】
ステップＳ１でアナログ放送のチャンネル検索を開始する。
【００３７】
ステップＳ３でチャンネル１を選局するため、アナログ放送チャンネル検索器５はチューナ２の局部発振周波数を制御する。
【００３８】
チューナ２から出力される中間周波信号をステップＳ４でＡＭ復調できた場合には、ステップＳ５でチャンネル１をアナログ放送チャンネルとして登録し、ステップＳ６、Ｓ７を通過して、チャンネル２においてフローＳ３、Ｓ４、Ｓ６で上記の動作を行なう。
【００３９】
ステップＳ４でＡＭ復調できなかった場合には、ステップＳ６、Ｓ７を通過して、チャンネル２においてステップＳ３、Ｓ４、Ｓ６で上記の動作を行なう。
【００４０】
これをチャンネル３からチャンネル６２で繰り返し行ない、アナログ放送チャンネル検索を終了する。
【００４１】
次にステップＳ１７、Ｓ９〜Ｓ１６では、ステップＳ１〜Ｓ７において検索されたアナログ放送チャンネルと図３に示すあらかじめ登録された各地域のアナログ放送チャンネルを比較し、一致したチャンネル番号が一最も多い地域とその周辺地域を現在受信している地域として登録し、デジタル放送のチャンネル検索を開始する。
【００４２】
ステップＳ１７で受信地域がＡと判別された場合は、受信地域Ａと受信地域Ａ周辺の受信地域Ｈのデジタル放送チャンネルをチャンネル検索する。
【００４３】
ステップＳ１１でまずチャンネル１３を選局するため、デジタル放送チャンネル検索器６はチューナ２の局発信周波数を制御する。
【００４４】
チューナ２から出力される中間周波信号をステップＳ１２でＯＦＤＭ復調できた場合には、ステップＳ１３でチャンネル１３をデジタル放送チャンネルとして登録し、ステップＳ１４、Ｓ１５を通過して、チャンネル１４においてステップＳ１１、Ｓ１２、Ｓ１３で上記の動作を行なう。
【００４５】
これをチャンネル１５、１６、１７、１８、２１、２２、２４、２６で繰り返し行い、デジタル放送チャンネル検索を終了する。
【００４６】
例えば、アナログ放送チャンネル検索で検索されたチャンネルが２、４、６、８、１０、１２、１９、３４、３６であれば、受信地域をＡ〜Ｈの中で一致するチャンネル番号が最も多い受信地域はＡと判別され、デジタル放送チャンネル検索では受信地域Ａで放送されているチャンネル１３、１４、１５、１６、１７、１８、２４、２６と受信地域Ａ周辺の受信地域Ｈで放送されている１３、１４、１５、１６、２１、２２のチャンネルのみをチャンネル検索し、ＯＦＤＭ復調できたチャンネルをデジタル放送チャンネルとして登録する。
【００４７】
なお、デジタル放送チャンネル検索器６が記憶する各地域のチャンネル表では、各地域が地理特性に応じて関連付けられている。例えば本実施の形態では、受信地域Ａと受信地域Ｈが関連付けられており、受信地域Ｈが受信地域Ａの周辺地域であることが判別される。地理特性による関連付けは地形、建築物等を考慮してあらかじめ設定しておくことができる。
【００４８】
これにより従来の方法でアナログ放送とデジタル放送のチャンネル検索を行なった場合、チャンネルあたりのアナログ放送検索時間を０．５秒、チャンネルあたりのデジタル放送検索時間を１秒とすると、２つのチューナを用いてアナログ放送チャンネル検索とデジタル放送チャンネル検索をパラレルに行なった場合にかかるチャンネル検索時間は６２秒であるが、本発明の受信装置では、アナログ放送のチャンネル検索時間は３１秒、デジタル放送のチャンネル選局時間が１０秒で、チャンネル検索時間は３１＋１０＝４１秒となり、チャンネル検索時間を短縮することが可能となる。
【００４９】
また、例えば受信地域Ａと受信地域Ｈの境界付近に受信機が存在する場合など、複数地域のデジタル放送を受信できる可能性がある場合、周辺地域で受信できる可能性のあるデジタル放送チャンネルまで検索することで、より実際の受信状況に合わせたチャンネル設定を行うことが可能になる。
【００５０】
また実施の形態２ではアナログ放送のチャンネル検索にＡＭ復調器３、デジタル放送のチャンネル検索にＯＦＤＭ復調器を使用しているが、ＡＭ復調器の代わりにＮＴＳＣの同期が取れたかどうかの判別を行なうＮＴＳＣ同期検出器を用いても良く、ＯＦＤＭ復調器の代わりに、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）の同期が取れたかどうかの判別を行なうＴＭＣＣ同期検出器を用いても良い。
【００５１】
また受信の形態２では受信地域Ａの周辺地域はＨのみであるが、周辺地域は複数存在してもよい。
【００５２】
また実施の形態２ではデジタル放送波が８ＶＳＢ変調されている場合には、ＯＦＤＭ変調器の代わりに８ＶＳＢ変調器を用いても良い。
【００５３】
（実施の形態３）
本発明の実施の形態３の受信装置の構成は図１と同じであり、受信地域判別器７の動作が異なるだけである。
【００５４】
本発明の受信装置の動作を図３と図５を用いて説明する。
【００５５】
ステップＳ１でアナログ放送のチャンネル検索を開始する。
【００５６】
フロー３でチャンネル１を選局するため、アナログ放送チャンネル検索器５はチューナ２の局部発振周波数を制御する。
【００５７】
チューナから出力される中間周波信号をステップＳ４でＡＭ復調できた場合には、ステップＳ５でチャンネル１をアナログ放送チャンネルとして登録し、ステップＳ６、Ｓ７を通過して、チャンネル２においてステップＳ３、Ｓ４、Ｓ６で上記の動作を行なう。
【００５８】
ステップＳ４でＡＭ復調できなかった場合には、ステップＳ６、Ｓ７を通過して、チャンネル２においてステップＳ３、Ｓ４、Ｓ６で上記の動作を行なう。
【００５９】
これをチャンネル３からチャンネル６２で繰り返し行ない、アナログ放送チャンネル検索を終了する。
【００６０】
次にステップＳ１８、Ｓ９〜Ｓ１６では、ステップＳ１〜Ｓ７において検索されたアナログ放送チャンネルと図３に示すあらかじめ登録された各地域のアナログ放送チャンネルを比較し、一致したチャンネル番号が１番目と２番目に多い地区を現在受信している地域として登録し、デジタル放送のチャンネル検索を開始する。
【００６１】
ステップＳ１８で受信地域がＡ、Ｇと判別された場合は、ステップＳ１１でまずチャンネル１３を選局するため、デジタル放送チャンネル検索器６はチューナ２の局発信周波数を制御する。
【００６２】
チューナ２から出力される中間周波信号をステップＳ１２でＯＦＤＭ復調できた場合には、ステップＳ１３でチャンネル１３をデジタル放送チャンネルとして登録し、ステップＳ１４、Ｓ１５を通過して、チャンネル１４においてステップＳ１１、Ｓ１２、Ｓ１３で上記の動作を行なう。
【００６３】
これをチャンネル１５、１６、１７、１８、２４、２６、３１、３２、３３、３４、３９、４１で繰り返し行い、デジタル放送チャンネル検索を終了する。
【００６４】
例えば、アナログ放送チャンネル検索で検索されたチャンネルが２、４、６、８、１０、１２、１９、３４、３６であれば、受信地域をＡ〜Ｈの中で一致するチャンネル番号が一番多い受信地域はＡと判別され、２番目に多い受信地域はＧと判別され、デジタル放送チャンネル検索では受信地域Ａで放送されているチャンネル１３、１４、１５、１６、１７、１８、２４、２６と受信地域Ｇで放送されている３１、３２、３３、３４、３９、４１のチャンネルのみをチャンネル検索し、ＯＦＤＭ復調できたチャンネルをデジタル放送チャンネルとして登録する。
【００６５】
これにより従来の方法でアナログ放送とデジタル放送のチャンネル検索を行なった場合、チャンネルあたりのアナログ放送検索時間を０．５秒、チャンネルあたりのデジタル放送検索時間を１秒とすると、２つのチューナを用いてアナログ放送チャンネル検索とデジタル放送チャンネル検索をパラレルに行なった場合にかかるチャンネル検索時間は６２秒であるが、本発明の受信装置では、アナログ放送のチャンネル検索時間は３１秒、デジタル放送のチャンネル選局時間が１４秒で、チャンネル検索時間は３１＋１４＝４５秒となり、チャンネル検索時間を短縮することが可能となる。
【００６６】
また、例えば受信地域Ａと受信地域Ｇの境界付近に受信機が存在する場合など、複数地域のデジタル放送を受信できる可能性がある場合、周辺地域で受信できる可能性のあるデジタル放送チャンネルまで検索することで、より実際の受信状況に合わせたチャンネル設定を行うことが可能になる。
【００６７】
また実施の形態３ではアナログ放送のチャンネル検索にＡＭ復調器３、デジタル放送のチャンネル検索にＯＦＤＭ復調器を使用しているが、ＡＭ復調器の代わりにＮＴＳＣの同期が取れたかどうかの判別を行なうＮＴＳＣ同期検出器を用いても良く、ＯＦＤＭ復調器の代わりに、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）の同期が取れたかどうかの判別を行なうＴＭＣＣ同期検出器を用いても良い。
【００６８】
また実施の形態３では、アナログ放送チャンネル検索で検索されたチャンネルが１番目に多い受信地域Ａと２番目に多い受信地域Ｇのデジタル放送チャンネルのみをデジタル放送チャンネル検索で検索したが、地域の候補を３つ以上にしてもよい。
【００６９】
また実施の形態３ではデジタル放送波が８ＶＳＢ変調されている場合には、ＯＦＤＭ変調器の代わりに８ＶＳＢ変調器を用いても良い。
【００７０】
（実施の形態４）
本発明の実施の形態４の受信装置の構成は図１と同じであり、受信地域判別器７の動作が異なるだけである。
【００７１】
本発明の受信装置の動作を図３と図６を用いて説明する。
【００７２】
ステップＳ１でアナログ放送のチャンネル検索を開始する。
【００７３】
ステップ３でチャンネル１を選局するため、アナログ放送チャンネル検索器５はチューナ２の局部発振周波数を制御する。
【００７４】
チューナから出力される中間周波信号をステップＳ４でＡＭ復調できた場合には、ステップＳ５でチャンネル１をアナログ放送チャンネルとして登録し、ステップＳ６、Ｓ７を通過して、チャンネル２においてステップＳ３、Ｓ４、Ｓ６で上記の動作を行なう。
【００７５】
ステップＳ４でＡＭ復調できなかった場合には、ステップＳ６、Ｓ７を通過して、チャンネル２においてステップＳ３、Ｓ４、Ｓ６で上記の動作を行なう。
【００７６】
これをチャンネル３からチャンネル６２で繰り返し行ない、アナログ放送チャンネル検索を終了する。
【００７７】
次にステップＳ１９、Ｓ９〜Ｓ１６では、ステップＳ１〜Ｓ７において検索されたアナログ放送チャンネルと図３に示すあらかじめ登録された各地域のアナログ放送チャンネルを比較し、一致したチャンネル番号が１番目と２番目に多い地区とその周辺地域を現在受信している地域として登録し、デジタル放送のチャンネル検索を開始する。
【００７８】
ステップＳ１９で受信地域がＡとＧと判別された場合は、受信地域Ａと受信地域Ａ周辺の受信地域Ｈ、受信地域Ｇと受信地域Ｇ周辺の受信地域Ｃのデジタル放送チャンネルをチャンネル検索する。
【００７９】
ステップＳ１１でまずチャンネル１３を選局するため、デジタル放送チャンネル検索器６はチューナ２の局発信周波数を制御する。
【００８０】
チューナ２から出力される中間周波信号をステップＳ１２でＯＦＤＭ復調できた場合には、ステップＳ１３でチャンネル１３をデジタル放送チャンネルとして登録し、ステップＳ１４、Ｓ１５を通過して、チャンネル１４においてステップＳ１１、Ｓ１２、Ｓ１３で上記の動作を行なう。
【００８１】
これをチャンネル１５、１６、１７、１８、２１、２２、２４、２６、３１、３２、３３、３４、３９、４１、４５、４６、４７で繰り返し行い、デジタル放送チャンネル検索を終了する。
【００８２】
例えば、アナログ放送チャンネル検索で検索されたチャンネルが２、４、６、８、１０、１２、１９、３４、３６であれば、受信地域をＡ〜Ｈの中で一致するチャンネル番号が一番多い受信地域はＡと判別され、２番目に多い受信地域はＧと判別され、デジタル放送チャンネル検索では受信地域Ａで放送されているチャンネル１３、１４、１５、１６、１７、１８、２４、２６と受信地域Ｇで放送されている３１、３２、３３、３４、３９、４１と受信地域Ａの周辺地域Ｈで放送されている１３、１４、１５、１６、２１、２２と受信地域Ｇの周辺地域Ｃで放送されている１５、１６、４５、４６、４７のチャンネルのみをチャンネル検索し、ＯＦＤＭ復調できたチャンネルをデジタル放送チャンネルとして登録する。
【００８３】
これにより従来の方法でアナログ放送とデジタル放送のチャンネル検索を行なった場合、チャンネルあたりのアナログ放送検索時間を０．５秒、チャンネルあたりのデジタル放送検索時間を１秒とすると、２つのチューナを用いてアナログ放送チャンネル検索とデジタル放送チャンネル検索をパラレルに行なった場合にかかるチャンネル検索時間は６２秒であるが、本発明の受信装置では、アナログ放送のチャンネル検索時間は３１秒、デジタル放送のチャンネル選局時間が１４秒で、チャンネル検索時間は３１＋１９＝５０秒となり、チャンネル検索時間を短縮することが可能となる。
【００８４】
また、例えば受信地域Ａと受信地域Ｈの境界付近に受信機が存在する場合など、複数地域のデジタル放送を受信できる可能性がある場合、周辺地域で受信できる可能性のあるデジタル放送チャンネルまで検索することで、より実際の受信状況に合わせたチャンネル設定を行うことが可能になる。
【００８５】
また実施の形態４ではアナログ放送のチャンネル検索にＡＭ復調器３、デジタル放送のチャンネル検索にＯＦＤＭ復調器を使用しているが、ＡＭ復調器の代わりにＮＴＳＣの同期が取れたかどうかの判別を行なうＮＴＳＣ同期検出器を用いても良く、ＯＦＤＭ復調器の代わりに、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）の同期が取れたかどうかの判別を行なうＴＭＣＣ同期検出器を用いても良い。
【００８６】
また実施の形態４では、アナログ放送チャンネル検索で検索されたチャンネルが一番目に多い受信地域Ａと２番目に多い受信地域Ｇのデジタル放送チャンネルのみをデジタル放送チャンネル検索で検索したが、地域の候補を３つ以上にしてもよい。
【００８７】
また受信の形態２では受信地域Ａ、Ｇの周辺地域はＣ、Ｈのみであるが、周辺地域は複数存在してもよい。
【００８８】
また実施の形態４ではデジタル放送波が８ＶＳＢ変調されている場合には、ＯＦＤＭ変調器の代わりに８ＶＳＢ変調器を用いても良い。
【産業上の利用可能性】
【００８９】
本発明にかかる受信装置は、アナログ放送とデジタル放送の両方を受信する際に、高速なチャンネル検索を可能にするデジタル放送受信装置に適用できる。
【図面の簡単な説明】
【００９０】
【図１】本発明の実施の形態１における受信装置の構成図
【図２】本発明の実施の形態１におけるチャンネル検索のフローチャート
【図３】本発明の実施の形態１、２、３、４における各地域のアナログ放送、デジタル放送チャンネル表を示した図
【図４】本発明の実施の形態２におけるチャンネル検索のフローチャート
【図５】本発明の実施の形態３におけるチャンネル検索のフローチャート
【図６】本発明の実施の形態４におけるチャンネル検索のフローチャート
【符号の説明】
【００９１】
１    アナログ放送波、デジタル放送波
２    チューナ
３    ＡＭ復調器
４    ＯＦＤＭ復調器
５    変調方式判別器
６    アナログ放送チャンネル検索器
７    デジタル放送チャンネル検索器
８    受信地域判別器
【図１】
2006197166.tif 000003
【図２】
2006197166.tif 000004
【図３】
2006197166.tif 000005
【図４】
2006197166.tif 000006
【図５】
2006197166.tif 000007
【図６】
2006197166.tif 000008